(57)【要約】【課題】ロータンク本体の外壁面に回動自在に貫設され取っ手が回動軸側方に突出した操作ハンドルと、この操作ハンドルの回動軸に連結されて先端部が排水弁に連結する作動レバーとを備え、操作ハンドルのロータンク本体外壁面に沿った上下方向の回動により作動レバーを介して排水弁の開閉制御を行うようにした水洗便器のロータンクにおいて、排水弁の設置位置に拘わらず排水弁の早閉まりを防止してロータンク本体内の貯留水を便器へ十分供給できる水洗便器のロータンクを提供すること。【解決手段】操作ハンドル２の排水弁１１閉じ方向への回転時に取っ手２ｂが係止するストッパ片６を、ロータンク外壁１ａに貫設した保持部材７に突設し、ロータンク内の水面に水面高さに応じて上下する浮き部材１０を設け、この浮き部材１０と保持部材７とを連結してロータンク本体内の貯留水水位が低位のときに保持部材７を下方向に回転するようにさせる。【選択図】  図１
2004176380.tif 000002
【特許請求の範囲】
【請求項１】
ロータンク本体の外壁面に回動自在に設けて取っ手が側方に突出した操作ハンドルと、この操作ハンドルに連結されて先端部が排水弁に連結する作動レバーとを備え、操作ハンドルのロータンク本体外壁面に沿った上下方向の回動により作動レバーを介して排水弁の開閉制御を行うようにした水洗便器のロータンクにおいて、操作ハンドルの排水弁閉じ方向への回転時に取っ手が係止するストッパ片をロータンク本体の外壁に設けてなることを特徴とする水洗便器のロータンク。
【請求項２】
ストッパ片は、ロータンク本体の外壁面に取っ手可動範囲内に向けて突設されるとともに、排水弁開方向となる取っ手の回転方向にのみ屈曲可能に蝶着されていることを特徴とする請求項１記載の水洗便器のロータンク。
【請求項３】
ロータンク本体の外壁に上下方向に回動可能に保持部材を貫設し、この保持部材にストッパ片を設け、ロータンク本体内に収容される貯留水の水面高さに応じて上下する浮き部材を設け、この浮き部材と保持部材とを連結してロータンク本体内の貯留水水位が低位のときに保持部材が連動して回動するように形成したことを特徴とする請求項１乃至２記載の水洗便器のロータンク。
【発明の詳細な説明】
【０００１】
【発明の属する技術分野】
本発明は、水洗便器のロータンクに関し、特にロータンク本体の外壁面に設けた操作ハンドルの取っ手をロータンク本体外壁面に沿って上下方向に回動させることにより、操作ハンドルに連結された作動レバーを介して排水弁の開閉制御を行うようにした水洗便器のロータンクに関する。
【０００２】
【従来の技術】
従来、図６に示すようなロータンク本体２１の外壁面に回動自在に設けて取っ手２０ｂが側方に突出した操作ハンドル２０と、この操作ハンドル２０に連結されて先端部が排水弁２２に連結する作動レバー２４とを備え、取っ手２０ｂのロータンク本体２１の外壁面に沿った上下方向の回動により作動レバー２４を介して排水弁２２の開閉制御を行うようにした水洗便器のロータンクが開示されている。（特開平７−９０８９７号公報参照）
【０００３】
この水洗便器のロータンクでは、操作ハンドル２０を左右のいずれかに回転させると、ロータンク本体２１内部に延設した腕曲状の作動レバー２４が操作ハンドル２０の動きに連動して左右いずれかに振れるようにしてあり、作動レバー２４の先端部はチェーン２５を介して排水弁２２に連結され、操作ハンドル２０の回転により生じる作動レバー２４の振れによって排水弁２２を引き上げ、ロータンク本体２１内の貯留水２６を排水口から便器へと排出するようにしている。
【０００４】
操作ハンドル２０の回転によって排水弁２２が開いた後、操作ハンドル２０が自重で元の位置に復帰しても排水弁２２は水の浮力によってしばらくは開放状態を維持し、ロータンク本体２１内の貯留水２６の水位が排水弁２２付近にまで低位になると排水弁２２が自重により閉じて排水口を塞ぐようにしてあり、これにより操作ハンドル２０が自重で元の位置に復帰してもロータンク本体２１内の貯留水２６のほぼ全部が一回の操作で便器に供給できるようにしている。
【０００５】
【特許文献１】
特開平７−９０８９７号公報
【０００６】
【発明が解決しようとする課題】
しかしながら上記従来の水洗便器のロータンクでは、ロータンク本体をスリムにしようとして、排水弁をロータンク本体内壁に近接した位置に設けたり、ロータンク本体への貯留水の吐出口の真下位置に設けたりした場合、ロータンク本体内の貯留水の排水口への流れの影響を受けて排水弁が早閉まりし、ロータンク本体内の貯留水を便器へ十分供給できないことがあるという問題がある。
【０００７】
本発明は、上記事由に鑑みてなされたものであり、その目的は、排水弁の設置位置に拘わらず排水弁の早閉まりを防止してロータンク本体内の貯留水を便器へ十分供給できる水洗便器のロータンクを提供することにある。
【０００８】
【課題を解決するための手段】
請求項１記載の発明は、ロータンク本体の外壁面に回動自在に設けて取っ手が側方に突出した操作ハンドルと、この操作ハンドルに連結されて先端部が排水弁に連結する作動レバーとを備え、操作ハンドルのロータンク本体外壁面に沿った上下方向の回動により作動レバーを介して排水弁の開閉制御を行うようにした水洗便器のロータンクにおいて、操作ハンドルの排水弁閉じ方向への回転時に取っ手が係止するストッパ片をロータンク外壁に設けてなることを特徴として構成している。
【０００９】
このような水洗便器のロータンクでは、操作ハンドルを回転させて排水弁が開放した後、排水弁閉じ方向へ回転したとき、操作ハンドルの取っ手がロータンク本体の外壁に設けたストッパ片に係止するので、作動レバーを介して排水弁が開放状態に保持される。
【００１０】
また請求項２記載の発明は、請求項１記載の水洗便器のロータンクにおいて、ストッパ片は、ロータンク本体の外壁面に取っ手可動範囲内に向けて突設されるとともに、排水弁開方向となる取っ手の回転方向にのみ屈曲可能に蝶着されていることを特徴として構成している。
【００１１】
このような水洗便器のロータンクでは、操作ハンドルの取っ手を排水弁開放方向に回転させたとき、取っ手に押されてストッパ片はこの取っ手の回転方向にのみ屈曲するので排水弁を全開にでき、取っ手が元の位置に復帰するときはロータンク本体の外壁面に取っ手可動範囲内に向けて突設されたストッパ片に取っ手が係止して排水弁が開放状態に保持される。
【００１２】
また請求項３記載の発明は、請求項１乃至２記載の水洗便器のロータンクにおいて、ロータンク本体の外壁に上下方向に回動可能に保持部材を貫設し、この保持部材にストッパ片を設け、ロータンク本体内に収容される貯留水の水面高さに応じて上下する浮き部材を設け、この浮き部材と保持部材とを連結してロータンク本体内の貯留水水位が低位のときに保持部材が連動して回動するように形成したことを特徴として構成している。
【００１３】
このような水洗便器のロータンクでは、ロータンク本体の外壁に設けた保持部材に設けたストッパ片に操作ハンドルの取っ手が係止して排水弁が開放状態に保持されているとき、保持部材に連結された浮き部材がロータンク本体内の貯留水の排水による水面低下に伴って下方に下がり、このとき浮き部材に引っ張られて保持部材が下方向に回転しストッパ片が回転するので、操作ハンドルの取っ手がストッパ片から外れて元の位置に復帰する。
【００１４】
【発明の実施の形態】
以下、本発明の実施形態の水洗便器のロータンクを図１乃至図５に基づいて説明する。
【００１５】
図１は、本発明の実施形態の水洗便器のロータンクを示す要部の斜視図であり、操作ハンドル２の動作を示す。また図２は、同上の水洗便器のロータンクを示す要部の縦断面図であり、操作ハンドル２の初期状態を示す。また図３は、同上の水洗便器のロータンクを示す要部の縦断面図であり、操作ハンドル２の操作後を示す。また図４は、同上の水洗便器のロータンクを示す要部の縦断面図であり、操作ハンドル２の復帰状態を示す。また図５は、同上の水洗便器のロータンクを示す要部の側面図であり、（ａ）は取っ手２ｂがストッパ片６に支持された状態、（ｂ）は取っ手２ｂを上方の所定位置に回転させた状態、（ｃ）は取っ手２ｂの通常状態を示す。
【００１６】
図１乃至図５に示すように、この水洗便器のロータンクは、ロータンク本体１の外壁面に回動自在に設けて取っ手２ｂが側方に突出した操作ハンドル２と、この操作ハンドル２に連結されて先端部が排水弁１１に連結する作動レバー３とを備え、操作ハンドル２のロータンク本体１外壁面に沿った上下方向の回動により作動レバー３を介して排水弁の開閉制御を行うようにした水洗便器のロータンクにおいて、操作ハンドル２の排水弁１１閉じ方向への回転時に取っ手２ｂが係止するストッパ片６をロータンク外壁に設けている。またストッパ片は、ロータンク本体の外壁面に取っ手可動範囲内に向けて突設されるとともに、排水弁開方向となる取っ手の回転方向にのみ屈曲可能に蝶着されている。またロータンク本体の外壁に上下方向に回動可能に保持部材を貫設し、この保持部材にストッパ片を設け、ロータンク本体内に収容される貯留水の水面高さに応じて上下する浮き部材を設け、この浮き部材と保持部材とを連結してロータンク本体内の貯留水水位が低位のときに保持部材が連動して回動するように形成されている。
【００１７】
ロータンク本体１は、通常用いられている陶器製のものを用い、上端開口部に蓋板が開閉自在に設けられた略箱状に形成されている。操作ハンドル２はロータンク本体１の外壁面に設けられ、その取っ手２ｂは操作ハンドル２下部より垂下されている。操作ハンドル２は、ロータンク本体１の外壁１ａに貫設されたスピンドル４の外側端部にネジ固定され、外部からの回動によってスピンドル４が回動するようにしてある。また作動レバー３は、金属棒などから形成され、ロータンク本体１の内空間に臨むスピンドル４の内側端部に延設され、先端部が下方に腕曲している。この作動レバー３先端部には排水弁１１に連結されるチェーン５が取り付けられている。この状態で操作ハンドル２を左右どちらかに回転させるとスピンドル４の回動部が回転して作動レバー３が回転する。このとき作動レバー３の腕曲した先端部が回転して先端が上方に移動する。この作動レバー３先端の上方移動によってチェーン５を介して排水弁１１が引っ張り上げられ開放するしくみになっている。排水弁１１が引き上げられると、ロータンク本体１内の貯留水１３は排水口から便器へと排出されるようにしている。回転させた操作ハンドル２は自重で逆方向に回転し取っ手２ｂが元の位置に復帰し、作動レバー３の先端部は再び下方に腕曲した状態を維持する。
【００１８】
保持部材７は、ロータンク本体１の外壁面に直交する略水平方向に長手方向を有する長方形板状に形成され、両側面間を貫通して両側に突出する回動軸８が貫設されている。この保持部材７はロータンク本体１の外壁１ａの操作ハンドル２近傍に設けた取付孔１ｂに回動軸８を介して回動可能に取り付けられ、回動軸８よりも内側部がロータンク本体１の内空間に臨み、外側部がロータンク本体１の外壁面に突出している。取付孔１ｂは、上面および下面が外側ほど下方に平行に傾斜する上下のテーパー面を有し、対向する両側面には回動軸８の軸受けが形成されている。上側のテーパー面の外側端と下側のテーパー面の内側端との両高さの差はちょうど保持部材７の板厚程度に上側のテーパー面の方が高く形成されており、保持部材７を取付孔１ｂに取り付けたときに、保持部材７上面が上側テーパー面の外側端に当接する水平位置と、上側のテーパー面の内側端に当接する斜め位置との間で保持部材７が回動軸８を介して回動可能とされている。
【００１９】
ストッパ片６は、板厚および横幅が保持部材７と略同寸の四角板状に形成され、保持部材７外側端に蝶番１５を介して上側に折り曲げ可能に延設されている。
【００２０】
ストッパ片６は、図１（ａ）に示すように、操作ハンドル２の取っ手２ｂの可動範囲に向けて略水平に突設されており、操作ハンドル２を回転させたとき通常時には下方に垂下された取っ手２ｂが下側からストッパ片６に当接する。さらに操作ハンドル２を回転させると、図１（ｂ）に示すように、取っ手２ｂに下方から押されてストッパ片６は蝶番１５により上側に折り曲がり、取っ手２ｂはストッパ片６上方の所定位置まで回転する。ストッパ片６は取っ手２ｂが通過した後、元の水平位置に復帰する。次に、取っ手２ｂから手を離すと操作ハンドル２はその自重により逆方向に回転し、取っ手２ｂは上側からストッパ片６に当接する。このとき、図１（ｃ）に示すように、ストッパ片６は下方に折れ曲がらず、取っ手２ｂはストッパ片６の上部に当接した状態で保持される。
【００２１】
浮き部材１０は、例えば樹脂材料からなる中空のボール状のものが用いられ、ロータンク本体１内の貯留水１３に浮いた状態で放置される。この浮き部材１０は紐材９を介して保持部材７の内側端部に連結されている。保持部材７上方のロータンク本体１の内面には、先端に紐材９を摺動可能に貫通係止する引掛け部１４ａを備えた係止部材１４が設けられており、紐材９は係止部材１４の引掛け部１４ａを経由して垂下されて保持部材７に接続されている。紐材９の長さは浮き部材１０がロータンク本体１の底付近に位置しているときにちょうど直線状となる程度に形成され、このとき紐材９に引っ張られて係止部材１４の引掛け部１４ａを経由して紐材９に連結された保持部材７が上方に持ち上がるようにしている。
【００２２】
排水動作について以下に説明する。まず図２に示すように、操作ハンドル２を操作しない通常時には、ロータンク本体１内には満水状態の貯留水１３が溜められており、操作ハンドル２の取っ手２ｂは下向き、従って作動レバー３の先端部は下方に腕曲し、排水弁１１は閉じた状態を保持している。また浮き部材１０は貯留水１３の水面位置にあり、保持部材７は略水平に保持されている。
【００２３】
次に図３に示すように、取っ手２ｂをストッパ片６を超えて上方位置まで回転させた後にストッパ片６に保持させたとき、操作ハンドル２に連結された作動レバー３の先端部は左右いずれかに回転して上方に持ちあがる。このとき、作動レバー３に連結されたチェーン５により排水弁１１が引っ張られて開放する。取っ手２ｂからすぐに手を離しても取っ手２ｂはストッパ片６で係止保持され、作動レバー３が上方位置に保持されるので、排水弁１１はチェーン５に引っ張られて開放状態を維持している。ロータンク本体１内の貯留水１３は排水口から便器に向けて排出され、その水位が少しずつ低下していき、浮き部材１０もそれに伴って少しずつ低下していく。貯留水１３の水位が中程度であれば、浮き部材１０の紐材９はまだたるんだ状態であり、保持部材７はたるんだ紐材９に引っ張られることなく、水平状態を保持している。
【００２４】
次に図４に示すように、貯留水１３の水位がロータンク本体１の底面付近まで下がり浮き部材１０の位置が同付近まで下がると、浮き部材１０に連結された紐材９がピンと張った状態になり、この紐材９に引掛け部１４ａ材を経由して保持部材７が引っ張られ、保持部材７は内側が上方へ、外側が下方に回転する。このとき保持部材７外側部に固定されたストッパ片６は下方に移動し、取っ手２ｂの可動範囲外に移動する。取っ手２ｂはストッパ片６から外れて自重により下向きの元の位置に戻る。このとき、作動レバー３も元に位置に戻り、すなわち先端部が下方位置に戻るため、紐材９がたるんで排水弁１１が閉じる。
【００２５】
このような水洗便器のロータンクでは、操作ハンドル２を回転させて排水弁１１が開放した後、排水弁１１閉じ方向へ回転したとき、操作ハンドル２の取っ手２ｂがロータンク本体１の外壁１ａに設けたストッパ片６に係止するので、作動レバー３を介して排水弁１１が開放状態に保持される。また、操作ハンドル２の取っ手２ｂを排水弁１１開放方向に回転させたとき、取っ手２ｂに押されてストッパ片６はこの取っ手２ｂの回転方向にのみ屈曲するので排水弁１１を全開にでき、取っ手２ｂが元の位置に復帰するときはロータンク本体１の外壁面の取っ手２ｂ可動範囲内に突設されたストッパ片６に取っ手２ｂが係止して排水弁１１が開放状態に保持される。また、ロータンク本体１の外壁１ａに設けた保持部材７に設けたストッパ片６に操作ハンドル２の取っ手２ｂが係止して排水弁１１が開放状態に保持されているとき、保持部材７に連結された浮き部材１０がロータンク本体１内の貯留水１３の排水による水面低下に伴って下方に下がり、このとき浮き部材１０に引っ張られて保持部材７が下方向に回転しストッパ片６が回転するので、操作ハンドル２の取っ手２ｂがストッパ片６から外れて元の位置に復帰する。
【００２６】
なお、保持部材７は、ストッパ片６に取っ手２ｂが係止したときの取っ手２ｂの重みによって外側部が下方に回転しないように、また浮き部材１０に連結した紐材９に引っ張られたときに紐材９の張力によって内側部が上方へ回転するように、重量や長さなどが適切に設定されて重量バランスが取られるようにしてある。
【００２７】
これにより操作ハンドル２が自重で元の位置に復帰しようとしても、ストッパ片６に強制的に遮られて元の位置にすぐには復帰できないようになり、排水弁１１が開放状態に保持されるので、排水弁１１の早閉まりが防止でき、ロータンク本体１内の貯留水１３のほぼ全部が一回の操作で確実に便器に供給できるようになる。したがって、排水弁１１の位置に拘わらず早閉まりが防止できるので、ロータンクの小型化などの排水弁１１位置を自在に設定した自由な設計ができる。
【００２８】
なお、浮き部材１０は、ロータンク本体１内へ貯留水１３を供給する給水管と連結され、ロータンク本体１内の貯留水１３が所定水位よりも低下したことを検知してロータンク本体１内へ貯留水１３を供給するよう給水管へ制御信号を送るための水位センサーとしても機能している。これにより、ロータンク本体１内の貯留水１３が便器へ排水された後、再び次回使用のために給水管はロータンク本体１内に貯留水１３を満水状態になるまで供給するようにしている。
【００２９】
【発明の効果】
請求項１の発明では、操作ハンドルの取っ手を回転して排水弁が開放した後、取っ手が排水弁閉じ方向へ回転したとき、取っ手がロータンク外壁に設けたストッパ片に係止するので、作動レバーを介して排水弁が開放状態に保持される。したがって、操作ハンドルが自重で元の位置に復帰しようとしても、ストッパ片に遮られて元の位置にすぐには復帰できないようになり、排水弁が開放状態に保持されるので、排水弁の早閉まりが防止でき、ロータンク内の貯留水のほぼ全部が一回の操作で確実に便器に供給できるようになる。
【００３０】
また、請求項２の発明では、操作ハンドルの取っ手を排水弁開放方向に回転させたとき、取っ手に押されてストッパ片はこの取っ手の回転方向にのみ屈曲するので排水弁を全開にでき、取っ手が元の位置に復帰するときはロータンク外壁面の取っ手可動範囲内に突設されたストッパ片に取っ手が係止して排水弁が開放状態に保持される。
【００３１】
また、請求項３の発明では、ロータンク外壁に設けた保持部材に設けたストッパ片に操作ハンドルの取っ手が係止して排水弁が開放状態に保持されているとき、保持部材に連結された浮き部材がロータンク内の貯留水の排水による水面低下に伴って下方に下がり、このとき浮き部材に引っ張られて保持部材が下方向に回転しストッパ片が回転するので、操作ハンドルの取っ手がストッパ片から外れて元の位置に復帰する。
【００３２】
したがって、ストッパ片による取っ手の係止によって、排水弁がしばらく開放状態を維持したのち、自然に取っ手が元の位置まで戻るので、ストッパ片に係止した取っ手を手動で元の位置に戻す手間が省ける。
【図面の簡単な説明】
【図１】本発明の実施形態の水洗便器のロータンクを示す要部の斜視図であり、操作ハンドルの動作を示す。
【図２】同上の水洗便器のロータンクを示す要部の縦断面図であり、操作ハンドルの初期状態を示す。
【図３】同上の水洗便器のロータンクを示す要部の縦断面図であり、操作ハンドルの操作後を示す。
【図４】同上の水洗便器のロータンクを示す要部の縦断面図であり、操作ハンドルの復帰状態を示す。
【図５】同上の水洗便器のロータンクを示す要部の側面図であり、（ａ）は取っ手がストッパ片に支持された状態、（ｂ）は取っ手を上方の所定位置に回転させた状態、（ｃ）は取っ手の通常状態を示す。
【図６】従来の水洗便器のロータンクを示す要部の縦断面図である。
【符号の説明】
１    ロータンク本体
１ａ    外壁
１ｂ    取付孔
１ｃ    底板
２    操作ハンドル
２ａ    操作ハンドル本体
２ｂ    取っ手
３    作動レバー
４  スピンドル
５    チェーン
６    ストッパ片
７    保持部材
８    回動軸
９    紐材
１０    浮き部材
１１    排水弁
１２    排水管
１３    貯留水
１４    係止部材
１４ａ    引掛け部
１５    蝶番
２０    操作ハンドル
２０ａ    操作ハンドル本体
２０ｂ    取っ手
２１    ロータンク外壁
２２    排水弁
２３    スピンドル
２４    作動レバー
２５    チェーン
２６    貯留水
２７    排水管
【図１】
2004176380.tif 000003
【図２】
2004176380.tif 000004
【図３】
2004176380.tif 000005
【図４】
2004176380.tif 000006
【図５】
2004176380.tif 000007
【図６】
2004176380.tif 000008